(57)【特許請求の範囲】
【請求項１】
内部空間を有する電線管と、この内部空間に内装されたケーブルとから構成されるケーブル入り電線管であって、
前記内部空間で前記ケーブルが絡み合ったり重合することを防止すべく、前記電線管が、その径方向の切断面が偏平な略方形乃至楕円形状の内部空間を有する一方、前記ケーブルが、前記内部空間の長径方向に対して波打った形状且つ前記電線管の伸張方向に対して戻りのない形状であって連続若しくは間欠的に屈曲された状態で内装されるとともに、その幅が、前記内部空間の短径方向の長さと略同一とされていることを特徴とするケーブル入り電線管。
【請求項２】
波打った状態に屈曲されたケーブルの振幅が内部空間の長径方向の長さと略同一であることを特徴とする請求項１記載のケーブル入り電線管。
【請求項３】
電線管が、その径方向の切断面が偏平な略方形乃至楕円形状の外面形状を有していることを特徴とする請求項１又は２ケーブル入り電線管。
【発明の詳細な説明】
【０００１】
【発明の属する技術分野】
本発明はケーブル入り電線管に関するものであり、より詳細には、径方向の切断面が偏平な略方形乃至楕円形状の内部空間を有する電線管と、この内部空間に内装されたケーブルとからなるケーブル入り電線管であって、電線管の内部空間内で前記ケーブルが絡み合ったり重合することを防止すべく、当該ケーブルが、内部空間の長径方向に波打った状態に屈曲され、内装されているところに構成特徴を有するケーブル入り電線管に関するものである。
【０００２】
【従来の技術】
従来、電線管を配設した後においてケーブルの引込作業を不要とすべく、予め電線管に電線・ケーブルを内装したケーブル入り電線管としては、例えば実開昭５９−１１９７３１号公報等に記載のものが公知であり、これを図５に示す。
【０００３】
図において、このケーブル入り電線管２０は、管２１内に電線・ケーブル２２を螺旋状に挿通したものである。よって、この電線管２１を所望する任意長さに切断しても、当該電線管２１の長さより長いケーブル２２が螺旋状に内装されており且つ切断された電線管２１の両端の夫々からケーブル２２の端部を露出させることができるため、この端部を摘んで引っ張ることにより当該ケーブル２２を伸長させ、これにより所定長さを引出しできる。
【０００４】
前記ケーブル入り電線管と同様な作用効果を得るべく、管内に電線・ケーブルを蛇行させて挿通したものも公知である（実開昭５８−１０８７１９号公報）。
【０００５】
【発明が解決しようとする課題】
しかしながら、上述した従来のケーブル入り電線管２０は、当該電線管２１を所望する任意長さに切断しても、接続すべきケーブル２２を伸長させて切断端部から所定長さを引出しできるものの、ケーブル２２を螺旋状に若しくは蛇行して収納するための内部空間の寸法形状等に配慮がなされていないため、これを搬送する時、配管作業等を行なう時、或いは一度引き出したケーブル２２を内部に押し込んだりする時に、電線管２１内でケーブル２２が重合し易く（図６）、このため、図７に示すように、電線管２１内でケーブル２２が絡み合うことがあり、そして、管２１内でケーブル２２が絡み合うと、接続すべきケーブル２２を伸長させて切断端部から所定長さを引出し難いという問題があった。
【０００６】
また、管２１内でケーブル２２が重合した箇所が切断されると、複数のケーブル端が存在することになり、この場合には、該複数のケーブル端のうちどのケーブル端が目的のケーブル端であるかを正しく認識し判断できないため、間違えて接続されることがあるという問題があった。
【０００７】
本発明は、従来の技術の有するこのような問題に鑑みてなされたものであり、その目的とするところは、電線管の内部空間でケーブルが絡み合ったり重合することを防止したケーブル入り電線管を提供せんとするところにあり、より詳しくは、径方向の切断面が偏平な略方形乃至楕円形状の内部空間を有する電線管と、この内部空間に内装されたケーブルとからなるケーブル入り電線管であって、当該ケーブルが、内部空間の長径方向に波打つた形状に屈曲された状態で内装されているところに構成特徴を有するケーブル入り電線管を提供せんとするところにある。
【０００８】
【課題を解決するための手段】
上記目的を達成するために、本発明が採った手段は、叙上の特許請求の範囲に記載のとおりである。
【０００９】
すなわち、請求項１の発明の要旨とするところは、「内部空間１１を有する電線管１２と、該内部空間１１に内装されたケーブル１３とから構成されるケーブル入り電線管１０であって、前記内部空間１１で前記ケーブル１３が絡み合ったり重合することを防止すべく、前記電線管１２が、その径方向の切断面が偏平な略方形乃至楕円形状の内部空間１１を有する一方、前記ケーブル１３が、前記内部空間１１の長径方向に対して波打った形状且つ前記電線管１２の伸張方向に対して戻りのない形状であって連続若しくは間欠的に屈曲された状態で内装されるとともに、その幅が、前記内部空間１１の短径方向の長さと略同一とされていることを特徴とするケーブル入り電線管１０」にある。
【００１０】
このケーブル入り電線管１０によれば、これらを搬送する時や配管作業等を行なう時、或いは一度引き出したケーブル１３を内部１１に押し込んだりする時に、管１２内でケーブル１３が重合し難く、このため、管１２内でケーブル１３が絡み合うことがないという作用が得られる。すなわち、このケーブル入り電線管１０を所望する任意長さに切断しても、接続すべきケーブル１３を間違えることがなく、端部１４を摘んで引っ張ることによって接続すべきケーブル１３を確実に伸長させることができ、そして、切断端部から所定長さを引出しできる。更に、電線管の内面とケーブルの外面との間の隙間を介して当該ケーブルが移動することを防止できる構成になっているため、これにより、前記内部空間で前記電線管が絡み合ったり重合すること完全に防止できる。
【００１１】
つぎに、請求項２の発明の要旨とするところは、「前記ケーブル入り電線管において、前記波打った状態に屈曲されたケーブルの振幅が前記内部空間の長径方向の長さと略同一であることを特徴とする請求項１記載のケーブル入り電線管」にある。
【００１２】
請求項２のケーブル入り電線管によれば、請求項１のケーブル入り電線管の具有する作用に加えて、電線管の内面とケーブルの外面との間の隙間を介して当該ケーブルが移動することを防止できる構成になっているため、これにより、前記内部空間で前記電線管が絡み合ったり重合すること完全に防止できる。
【００１３】
請求項３の発明の要旨とすることろは、「電線管が、その径方向の切断面が偏平な略方形乃至楕円形状の外面形状を有していることを特徴とする請求項１又は２ケーブル入り電線管」にある。
【００１４】
請求項３のケーブル入り電線管によれば、請求項１又は２のケーブル入り電線管の具有する作用に加えて、前記電線管の外面形状が、径方向の切断面が偏平な略方形乃至楕円形状に形成されていると、埋設される壁材の埋設スペースの節減が図れ、従来の電線管によるよりも、電線菅埋設位置周辺の当該壁材の強度補強が図れる。
【００１５】
また、本発明のケーブル入り電線管によれば、電線管を配設した後においてケーブルの引込作業を不要とすることができ、かかる作業性の向上が図れる。
【００１６】
【発明の実施の形態】
本発明に係るケーブル入り電線管の実施の形態を、実施例に基いてさらに詳細に説明するが、これは代表的なものを示したものであり、その要旨を越えない限り、以下の実施例によって本発明が限定されるものではない。
【００１７】
ところで、この明細書において、ケーブルとは、絶縁被覆電導線１の単独からなるもの（図１）や、複数の絶縁被覆電導線１、１、１をスパイラル形状に結束してなるケーブル２（図２）、その他これらに類するものをすべて含む広い意味の概念である。但し以下では、便宜上、ケーブルは主としてその外観形状が偏平な条形状である絶縁被覆電導線１の単独を例に挙げて説明する。
【００１８】
図３は本発明に係わる一実施例のケーブル入り電線管１０を説明するために示す縦断面図、図４は横断面図である。
【００１９】
図において、この実施例のケーブル入り電線管１０は、径方向の切断面が偏平な略方形乃至楕円形状の内部空間１１を有する電線管１２と、この内部空間１１に内装されたケーブル１３とから構成されており、該ケーブル１３が内部空間１１の長径方向に連続して波打つた形状に屈曲された状態で内装されているところにその構成特徴を有するものである。
【００２０】
前記電線管１２は可撓性を有するポリプロピレン製であるが、径方向の切断面が偏平な略方形乃至楕円形状の内部空間１１を有する形状に形成できかつ可撓性を有するるものであるれば特にその素材をポリプロピレン樹脂に限定するものではないが、電線管１２が可撓性を有すると配管可能な場所の拡大が図れるので好ましく、さらに、加工性と生産コストの観点からは、合成樹脂製であることが好ましい。
【００２１】
前記ケーブル１３は、偏平な条形状に形成された絶縁被覆電導線１の単独であり、前記内部空間１１の長径方向に波打つた形状に屈曲された状態で内装されており、これにより、ケーブル１３は電線管１２の長手方向に伸長可能であるものの、従来のものより、電線管１２の径方向には移動し難くなっている。なお、このケーブル１３は、その全体形状が一定間隔毎に屈曲する形状に内装されていても構わない。
【００２２】
このように構成されたケーブル入り電線管１０は、叙上の如く構成されているから、次のように作用する。まず、この電線管１２を所望する任意長さに切断しても、当該電線管１２の長さより長いケーブル１３が屈曲された状態で内装されており、且つ切断された電線管１２の両端の夫々からケーブル１３の端部を露出させることができるため、この端部を摘んで引っ張ることにより当該ケーブル１３を伸長させ、これにより所定長さを引出しできる。
【００２３】
つぎに、前記内部空間１１に内装されたケーブル１３は、電線管１２の長手方向に伸長可能であるものの、従来のものより、電線管の１２径方向には移動し難くなっているから、これを搬送する時、配管作業等を行なう時、或いは一度引き出したケーブル１３を内部に押し込んだりする時に、管１２内でケーブル１３が重合し難いので、これにより、管１２内でケーブル１３が絡み合い難く、したがって、この絡み合いに起因する従来の接続すべきケーブル１３を伸長させて切断端部から所定長さを引出し難いとか、管１２内でケーブル１３が重合した箇所が切断されこれにより切断面に複数のケーブル端１４が存在することになる、すなわち、複数のケーブル端１４のうちどのケーブル端が目的のケーブル端であるかを正しく認識し判断できないという問題を解消でき、間違えて接続されることがない。
【００２４】
ところで、前記ケーブル入り電線管１０において、前記波打った状態に屈曲されたケーブル１３の振幅が前記内部空間１１の長径方向の長さと略同一となるように構成されていたり、或いは、前記ケーブル１３の幅が、前記内部空間１１の短径方向の長さと略同一となるように構成したりすると、電線管１２の内面とケーブル１３の外面との間の隙間を介して当該ケーブル１３が移動することを防止できるため、これにより、前記内部空間１１で前記ケーブル１３が絡み合ったり重合することを確実に防止できるから、極めて好適である。
【００２５】
【発明の効果】
以上述べたように、本発明のケーブル入り電線管によれば、電線管を配設した後においてケーブルの引込作業を不要とすることができ、かかる作業性の向上が図れる、という格別顕著な作用効果が得られる。
【図面の簡単な説明】
【図１】  絶縁被覆電導線の単独からなるケーブルの破断斜視図である。
【図２】  複数の絶縁被覆電導線をスパイラル形状に結束してなるケーブルの破断斜視図である。
【図３】  本発明に係わる一実施例のケーブル入り電線管を説明するために示す縦断面図である。
【図４】  図３に示した一実施例のケーブル入り電線管の横断面図ある。
【図５】  従来のケーブル入り電線管を説明するために示す縦断面図であり、ケーブルは破断表示されていない。
【図６】  従来のケーブル入り  電線管内でケーブルが重合している様子を模式的に示す縦断面図であり、ケーブルは破断表示されていない。
【図７】  従来のケーブル入り電線管内でケーブルが絡み合っている様子を模式的に示す縦断面図り、ケーブルは破断表示されていない。
【符号の説明】
１…絶縁被覆電導線
２…スパイラル形状に結束してなるケーブル
１０…本発明の一実施例のケーブル入り電線管
１１…内部空間
１２…電線管
１３…ケーブル
１４…ケーブル端
２０…従来のケーブル入り電線管
２１…電線管
２２…電線・ケーブル
【図１】
0003738405.tif 000002
【図２】
0003738405.tif 000003
【図３】
0003738405.tif 000004
【図４】
0003738405.tif 000005
【図５】
0003738405.tif 000006
【図６】
0003738405.tif 000007
【図７】
0003738405.tif 000008